(57)【要約】【課題】動的な面白さに加えて意匠的にも斬新で新規な可変入賞装置を提供しようとする。【解決手段】取付板１６の前面に球受枠体１７と、前記取付板１６に回動自在に設けられる可動部材１８を備え、該可動部材１８を電気的駆動源２０の駆動力又は遊技球の通過により起立した状態と傾動した状態とに動作させる可変入賞装置１２であって、可動部材１８は取付板１６に対し直交状に軸支する支軸２３と該支軸２３と平行に設けられた軸部２４を備えた回動本体２５と、軸部２４に揺動自在に設けられる揺動体２６とを備え、回動本体２５は揺動体２６が所定方向にのみ揺動するように規制する規制部２７を有し、可動部材１８の起立状態で揺動体２６が所定方向に揺動自在に軸支されると共に、可動部材１８の傾動状態で回動本体２５の規制部２７に揺動体２６が係止して該揺動体２６で遊技球を受け、球受枠体１７に誘導するようにした。【選択図】    図３
2010004900.tif 000002
【特許請求の範囲】
【請求項１】
取付板の前面に球受枠体と、前記取付板に回動自在に設けられる可動部材を備え、該可動部材を電気的駆動源の駆動力又は遊技球の通過により起立した状態と傾動した状態とに動作させる可変入賞装置であって、
前記可動部材は前記取付板に対し直交状に軸支する支軸と該支軸と平行に設けられた軸部を備えた回動本体と、前記軸部に揺動自在に設けられる揺動体とを備え、
前記回動本体は前記揺動体が所定方向にのみ揺動するように規制する規制部を有し、
前記可動部材の起立状態で前記揺動体が所定方向に揺動自在に軸支されると共に、可動部材の傾動状態で前記回動本体の規制部に前記揺動体が係止して該揺動体で遊技球を受け、前記球受枠体に誘導するようにしたことを特徴とする可変入賞装置。
【請求項２】
前記可動部材は前記球受枠体の端部上方に設けられ、前記揺動体は前記球受枠体の内方に揺動するように規制されている請求項１記載の可変入賞装置。
【発明の詳細な説明】
【技術分野】
【０００１】
本発明は、可変入賞装置に関するものであり、特に可動翼片が開閉自在に設けられる可変入賞装置に関するものである。
【背景技術】
【０００２】
従来の可変入賞装置として、開閉翼片を球受入口の両側に開閉自由に軸支してソレノイド等の電気的駆動源でこの開閉翼片を起立して打球を入り難くしたり、開閉翼片を傾倒して打球を入り易くしたりする所謂チューリップタイプの可変入賞装置が知られている（特許文献１参照。）。
【０００３】
【特許文献１】特許第２７７９９２０号公報
【発明の開示】
【発明が解決しようとする課題】
【０００４】
しかしながら、従来の可変入賞装置の開閉翼片は、単に打球を受け入れるだけに過ぎず、単調で面白さに欠けるものであった。また外観的にも旧態然として、独創性、新鮮味を失い遊技機に対する興趣を低下させるという問題点があった。
【０００５】
本発明は、従来の技術の有するこのような問題点に鑑みてなされたものであり、その目的とするところは、動的な面白さに加えて意匠的にも斬新で新規な可変入賞装置を提供しようとするものである。
【課題を解決するための手段】
【０００６】
上記目的を達成するために、本発明は、取付板の前面に球受枠体と、前記取付板に回動自在に設けられる可動部材を備え、該可動部材を電気的駆動源の駆動力又は遊技球の通過により起立した状態と傾動した状態とに動作させる可変入賞装置であって、前記可動部材は前記取付板に対し直交状に軸支する支軸と該支軸と平行に設けられた軸部を備えた回動本体と、前記軸部に揺動自在に設けられる揺動体とを備え、前記回動本体は前記揺動体が所定方向にのみ揺動するように規制する規制部を有し、前記可動部材の起立状態で前記揺動体が所定方向に揺動自在に軸支されると共に、可動部材の傾動状態で前記回動本体の規制部に前記揺動体が係止して該揺動体で遊技球を受け、前記球受枠体に誘導するようにしたことを特徴とする。
【０００７】
また、前記可動部材は前記球受枠体の端部上方に設けられ、前記揺動体は前記球受枠体の内方に揺動するように規制されていることを特徴とする。
【発明の効果】
【０００８】
本発明における可変入賞装置は、可動部材の起立時（常態）でも遊技球によって揺動体が揺動して入賞が可能となり、可動部材の傾動時には従来と同じように入賞球を受け入れることができる。即ち、動的な面白さに加えて意匠的にも斬新な可変入賞装置となり、遊技に対する興趣を高めることができる。
【発明を実施するための最良の形態】
【０００９】
以下に本発明の実施の形態を図面を参照して説明する。図１は本発明に係る可変入賞装置を備えたパチンコ遊技機の正面図、図２は可変入賞装置の斜視図、図３はその分解斜視図である。図１に示すように、パチンコ遊技機は、矩形状の外枠１の前面に遊技盤４を備えた中枠２がヒンジ機構３を介して水平方向へ片開き自在に蝶着され、その前面に遊技盤４が視認できる前枠５が正面左側を枢支して開閉自在に設けられている。前枠５の下部には遊技媒体としての遊技球が貯留される上受皿７が設けられ、その上受皿７の下部には上受皿７の余剰球が貯留される貯留皿と灰皿を備えた下受皿９が設けられている。また、下受皿９の右側方には遊技球の打力を調整する発射ハンドル１０が設けられている。
【００１０】
遊技盤４は、所定の厚みを有する方形状に形成され、ガイドレール６により略円形の遊技領域４ａが形成されている。そして、その遊技領域４ａの略中央に液晶等の表示部を備えた可変表示装置１１が設けられ、その下方に表示部の画像を変動させる始動入賞口として本発明に係る可変入賞装置１２が設けられている。さらに、その下方に扉部材を開閉して多量の入賞を可能とする大入賞口１３が設けられている。また、可変表示装置１１の側方には検知スイッチ１４ａを備えた通過入賞口１４が設けられ、例えば検知スイッチ１４ａが遊技球の通過を検知すると抽選が行われ、その結果が普通図柄表示器１１ａに表示され、「７」等の当たり条件で可変入賞装置１２が駆動するように設定される。遊技領域４ａの最下端には入賞球とならなかった遊技球がアウト球として流出するアウト口１５が設けられている。
【００１１】
可変入賞装置１２は、図３に示すように遊技盤４に取り付けるための取付板１６の前面に、遊技球を受け入れる球受枠体１７と、取付板１６に起立及び逆八字形に回動自在に設けられる一対の可動部材１８を備え、取付板１６の後方に設けられる枠体１９にロータリーソレノイド２０（電気的駆動源）及び作動部材２１を設けて概略構成される。そして、作動部材２１を介してロータリーソレノイド２０の駆動力を可動部材１８に伝達して、可動部材１８を起立した状態と傾動した状態とに動作させるようにしている。また、球受枠体１７には球受枠体１７に受け入れた入賞球を検知する検知スイッチ１７ａが配設されている。
【００１２】
可動部材１８は、取付板１６に対し直交状に軸支する支軸２３と該支軸２３と平行に設けられた軸部２４を備えた回動本体２５と、軸部２４に揺動自在に設けられる揺動体２６とを備え構成されている。回動本体２５は、揺動体２６が所定の一方向にのみ揺動するように揺動体２６の他方への揺動を規制する規制部２７を支軸２３と同軸上に設け、軸部２４と共に金属棒を屈曲して前方が閉鎖した側面視略コ字状に形成されている。また、揺動体２６は所定の厚みを有する板状に形成され、厚み方向に揺動すると共に自重により垂下するように軸部２４に軸支する挿通孔２８が取付板１６と直交するように上方に位置して形成されている。そして、揺動体２６の下端は規制部２７に接触する接触部２６ａが傾斜面状に形成されている。また、支軸２３の後端には取付板１６を介して作動部材２１と連係する連動部材３３が取付けられる。連動部材３３は、支軸２３が嵌挿される筒状の本体部に支軸２３と直交する操作ピン３４が突設されており、図５に示すように支軸２３に対して操作ピン３４が内向きとなるようにビスにより固着される。
【００１３】
取付板１６には、球受枠体１７に入賞して検知スイッチ１７ａで検知された遊技球が通過する入賞開口２２が開設されると共に、該入賞開口２２の両端上方に支軸２３が貫挿される軸孔２９が、遊技球１個が通過し得る間隔を有して貫設されている。枠体１９は、前枠体１９ａと後枠体１９ｂとで構成され、前枠体１９ａには入賞開口２２と連通する遊技球の排出路３１が形成され、後枠体１９ｂにはロータリーソレノイド２０が取付けられる。そして、前枠体１９ａと後枠体１９ｂとを組み付けることにより作動部材２１を軸支する軸受部３０が形成されている。
【００１４】
作動部材２１は、可動部材２５に対応する一対の側片の外側後方に軸ピン３２を同心状に突設し、側片の前端に支軸２３に固着される連動部材３３の操作ピン３４を遊嵌させる係合溝３５が二股状に形成されると共に、ロータリーソレノイド２０の駆動軸２０ａに固着されるカム片３６が接触する作用片３７で側片を連結して平面視コ字状に成形されている。カム片３６は、短径部と長径部を有する略楕円形状をしており、その長径部端部を駆動軸２０ａに軸支している。
【００１５】
上記構成の可変入賞装置１２の組立ては、まず揺動体２６を接触部２６ａが回動本体２５の規制部２７の内方に位置するように、揺動体２６の挿通孔２８を軸部２４に挿通し、接触部２６ａが規制部２７に接触して揺動体２６が内側にのみ揺動するように軸支して可動部材１８を組立てる。次に、支軸２３を取付板１６の軸孔２９に挿通し、取付板１６の後方に突出した支軸２３に連動部材３３をビスＢにより固着して可動部材１８を回動自在に取付け、検知スイッチ１７ａを装着した球受枠体１７を入賞開口２２に合致させて取付板１６に固着する。このとき、揺動体２６は後面を取付板１６により抜け止めされ、回動本体２５に揺動自在に軸支されている。そして、前後枠体１９ａ，１９ｂとで形成される軸受部３０に作動部材２１の軸ピン３２を軸支して、作動部材２１の係合溝３５に操作ピン３４が遊嵌するように枠体１９を取付板１６の後面に設けられたボス１６ａにビスＢにより固着する。最後に、駆動軸２０ａにカム片３６を装着したロータリーソレノイド２０を、図７（イ）に示すようにカム片３６の短径部が作動部材２１の作用片３７の下方に臨むように位置させた状態で、後枠体１９ｂにビス着し、可変入賞装置１２が組立てられる。
【００１６】
次に可変入賞装置１２の作用について説明する。可変入賞装置１２は常態では図２及び図４に示すように可動部材１８が起立した状態で保持されている。このとき、回動本体２５が図７（イ）に示すように起立していると共に、揺動体２６が支軸２３に軸支され垂下して接触部２６ａが規制部２７に当接して揺動方向を規制し、揺動体２６が内側方向（球受枠体１７側）にのみ揺動可能としている。つまり、常態では、遊技球が可動部材１８間の上方からと左右の揺動体２６の側方からの３箇所から球受枠体１７に入賞可能となっている。そして、ロータリーソレノイド２０が駆動すると、図７（ロ）に示すように駆動軸２０ａが所定角度（実施例では反時計回り方向に略９０度）回動し、カム片３６の短径部で支持していた作用片３７を長径部で支持して作動部材２１が軸ピン３２を支軸として上動する。作動部材２１が上動すると、係合溝３５に遊嵌された操作ピン３４を持ち上げ、図７（ロ）に示すように可動部材１８が支軸２３を中心として所定角度（実施例では略６０度）外向き回動し、可動部材１８が傾動状態となる。このとき、揺動体２６は接触部２６ａが規制部２７に支持された状態で回動するので、傾動した揺動体２６の上面で遊技球を受けても揺動体２６は揺動することなく、遊技球を確実に球受枠体１７に誘導することができる。
【００１７】
そして、所定時間が経過又は所定個数の遊技球が球受枠体１７に入賞するとロータリーソレノイド２０が消磁して、図７（イ）に示すように駆動軸２０ａが所定角度（実施例では時計回り方向に略９０度）回動し、カム片３６の長径部で支持していた作用片３７を短径部で支持して、図６に示すように作動部材２１が軸ピン３２を支軸として下動する。作動部材２１が下動すると、係合溝３５に遊嵌された操作ピン３４を下動して、図７（イ）に示すように可動部材１８が支軸２３を中心として所定角度（実施例では略６０度）内向き回動し、可動部材１８が起立状態となり可変入賞装置１２は揺動体２６が揺動自在な常態に復帰する。
【００１８】
次に、可変入賞装置１２を設けたパチンコ遊技機について説明する。発射ハンドル１０の操作によって遊技領域４ａに打出された遊技球が可変入賞装置１２の可動部材１８間に入賞すると入賞球として検知スイッチ１７ａに検知され、可変表示装置１１の表示を変動させる。また、遊技球が揺動体２６の外側面に当たると、揺動体２６が図４鎖線に示すように軸部２４を支点として揺動し、遊技球が回動本体２５のコ字状間を通過して球受枠体１７に受け入れられ、可動部材１８間に入賞した遊技球と同様に可変表示装置１１の表示を変動させる。このように、常態でも可動部材１８間だけでなく、可動部材の側方からの入賞も可能となり、動的な面白さも相俟って遊技に対する興趣を高めることができる。
【００１９】
また、遊技球がタイミングよく通過チャッカー１４に入賞して検知スイッチ１４ａが検知すると抽選が行われる。そして、その抽選結果が当たりとなると普通図柄表示器１１ａに「７」等の当たり図柄が表示され、ロータリーソレノイド２０が励磁して作動部材２１を介して可動部材１８が傾動し、遊技球が受け入れやすい開状態となり、所定時間が経過又は所定個数の遊技球が入賞するとロータリーソレノイド２０が消磁して、可動部材１８が起立状態に復動する。
【００２０】
なお、実施例において操作ピン３４を連動部材３３に設けるようにしたが、操作ピン３４は回動本体２５に支軸２３と偏心した位置に一体的に設けるようにしてもよい。このとき、操作ピン３４は支軸２３と平行状に設ければよく、取付板１６には回動本体２５に設けた操作ピン３４が回動し得るガイド孔を形成すればよい。さらに、可動部材１８の取り付けを、球受枠体１７の前面に飾り板を設けると共に支軸２３をその飾り板側に延出させて、回動本体２５を取付板１６と飾り板とで挟持して、可動部材１８を回動自在に保持するようにしてもよい。これにより、球受枠体１７を取付板１６に固着することで、可動部材１８を簡単に組み付けることができ、部品点数を減らして組立作業を簡素化することができる。
【００２１】
なお、可動部材１８をロータリーソレノイド２０の駆動力で回動させるようにしたが、直動式のソレノイドやステッピングモータ等の電気的駆動源を使用してもよい。また、実施例では１つの電気的駆動源で作動部材２１を介して一対の可動部材１８を回動するようにしたが、１つの可動部材を１つの電気的駆動源で回動するようにしてもよい。さらに、電気的駆動源を使用することなく、遊技球の通過により機械的に起立した状態と傾動した状態とに動作させるようにしてもよい。
【００２２】
また、実施例において可変入賞装置１２に可動部材１８を一対設けるようにしたが、１つの可動部材１８を傾動させる可変入賞装置であってもよい。また、可変入賞装置は、実施例では一対の可動部材１８の間隔を遊技球が１個通過可能な間隔としたが、例えば所謂羽モノといわれる役物にも適用でき、可動部材の傾動時に入賞した遊技球をＶ入賞口又は一般入賞口に振り分けるようにしてもよい。
【００２３】
また、実施例では支軸２３を揺動体２６の略下端に位置して、可動部材の傾動時に揺動体に受けられて入賞した遊技球も可動部材の起立時に揺動体を揺動して入賞する遊技球も同じ入賞球として検知スイッチで検知するようにしたが、支軸２３の位置を揺動体の中途位置に設定することで、可動部材の傾動時に揺動体に受けられて入賞した遊技球と可動部材の起立時に揺動体を揺動して入賞する遊技球を異なる位置に入賞させることができる。そのため、例えば可動部材の傾動時に揺動体に受けられて入賞した遊技球は検知スイッチで検知して通常の入賞球として処理し、可動部材の起立時に揺動体を揺動して入賞する遊技球は、他の入賞口に入賞しやすいワープ通路に誘導するようにして、可変入賞装置への入賞の仕方により入賞する位置を異ならすことができ、遊戯に対する興趣を高めることができる。
【図面の簡単な説明】
【００２４】
【図１】パチンコ遊技機の正面図である。
【図２】可変入賞装置の斜視図である。
【図３】可変入賞装置の分解斜視図である。
【図４】可変入賞装置の正面図である。
【図５】可変入賞装置の平面図である。
【図６】可変入賞装置の要部断面図である。
【図７】（イ）（ロ）は可動部材の開閉状態を示す作用説明図である。
【符号の説明】
【００２５】
１２    可変入賞装置
１６    取付板
１７    球受枠体
２０    ロータリーソレノイド（電気的駆動源）
２３    支軸
２４    軸部
２５    回動本体（可動部材）
２６    揺動体（可動部材）
２７    規制部
【図１】
2010004900.tif 000003
【図２】
2010004900.tif 000004
【図３】
2010004900.tif 000005
【図４】
2010004900.tif 000006
【図５】
2010004900.tif 000007
【図６】
2010004900.tif 000008
【図７】
2010004900.tif 000009